(57)【要約】【課題】調節の利便性に優れたゴルフクラブの提供。【解決手段】ゴルフクラブ５２は、シャフト５６と、ホーゼルを有するヘッド５４と、シャフト５６の先端部に固定されたスリーブ５８と、シャフト５６の後端部に固定されたグリップ６０と、このスリーブ５８と結合しうる結合部材１０と、を備えている。シャフト５６が、ヘッド５４に、取り外し可能に取り付けられている。シャフト５６は、露出部Ｅｘを有している。スリーブ５８は、複数の周方向固定位置で、ヘッド５４に固定可能である。ヘッド５４に対するシャフト５６の三次元角度が、スリーブ５８の上記周方向固定位置に起因して変化する。ヘッド５４は、ヘッドマーキングＨｍを有している。露出部Ｅｘは、上記周方向固定位置を確認するためのシャフトマーキングＳｍを有している。【選択図】図１１
2015023985.tif 000002
【特許請求の範囲】
【請求項１】
シャフトと、ホーゼルを有するヘッドと、上記シャフトの先端部に固定されたスリーブと、上記シャフトの後端部に固定されたグリップと、このスリーブに結合しうる結合部材と、を備えており、
上記シャフトが、上記ヘッドに、取り外し可能に取り付けられており、
上記スリーブが、複数の周方向固定位置で、上記ヘッドに固定可能であり、
上記ヘッドに対する上記シャフトの三次元角度が、上記スリーブの上記周方向固定位置に起因して変化し、
上記シャフトが、外部に露出している露出部を有しており、
上記露出部が、上記周方向固定位置を確認するためのシャフトマーキングを有しているゴルフクラブ。
【請求項２】
上記ヘッドが、ヘッドマーキングを有しており、
上記ヘッドマーキングが、上記ホーゼルに配置されており、
上記シャフトマーキングが、上記露出部の先端部に配置されている請求項１に記載のゴルフクラブ。
【請求項３】
上記グリップが、上記周方向固定位置を確認するためのグリップマーキングを有している請求項１又は２に記載のゴルフクラブ。
【請求項４】
上記グリップマーキングが、上記グリップの先端部に配置されている請求項３に記載のゴルフクラブ。
【請求項５】
上記スリーブが上記シャフトに固定された後に、上記シャフトマーキングが形成されている請求項１から４のいずれかに記載のゴルフクラブ。
【請求項６】
上記シャフトに固定された上記スリーブが上記ヘッドに取り付けられた後に、上記シャフトマーキングが形成されている請求項１から５のいずれかに記載のゴルフクラブ。
【請求項７】
上記シャフトマーキングがレーザーによって形成されている請求項１から６のいずれかに記載のゴルフクラブ。
【請求項８】
シャフトと、ホーゼルを有するヘッドと、上記シャフトの先端部に固定されたスリーブと、上記シャフトの後端部に固定されたグリップと、このスリーブに結合しうる結合部材と、を備えており、
上記シャフトが、上記ヘッドに、取り外し可能に取り付けられており、
上記スリーブが、複数の周方向固定位置で、上記ヘッドに固定可能であり、
上記ヘッドに対する上記シャフトの三次元角度が、上記スリーブの上記周方向固定位置に起因して変化し、
上記シャフトが、外部に露出している露出部を有しており、
上記露出部が、シャフトマーキングを有しており、
上記ヘッドが、ヘッドマーキングを有しており、
上記ヘッドマーキングが、上記ホーゼルに配置されており、
上記シャフトマーキングが、上記露出部の先端部に配置されているゴルフクラブ。
【請求項９】
上記シャフトマーキングの色が、見る角度によって変化し、
上記シャフトマーキングを標準アドレス視点の角度から見たときの色がＳＲ１とされ、上記シャフトマーキングを正面から見たときの色がＳＲ２とされ、上記シャフトマーキングの周囲における上記シャフトの色がＳＲ３とされ、上記ＳＲ１と上記ＳＲ３との間の色差がΔＥａとされ、上記ＳＲ２と上記ＳＲ３との間の色差がΔＥｂとされるとき、ΔＥａがΔＥｂよりも小さい請求項１から８のいずれかに記載のゴルフクラブ。
【発明の詳細な説明】
【技術分野】
【０００１】
本発明は、ゴルフクラブに関する。
【背景技術】
【０００２】
調節性を有するゴルフクラブが提案されている。この調節性は、フィッティングを容易とする。
【０００３】
米国特許公開公報ＵＳ２０１３／００１７９０１及び米国特許公報ＵＳ７９８０９５９では、シャフトがヘッドに取り外し可能に取り付けられたゴルフクラブが開示されている。これらのゴルフクラブでは、シャフトの先端部にスリーブが取り付けられており、このスリーブに設けられたシャフト孔が傾斜している。これらのゴルフクラブでは、スリーブの周方向固定位置によって、ロフト角、ライ角及びフェース角が調節されうる。
【先行技術文献】
【特許文献】
【０００４】
【特許文献１】米国特許公開公報ＵＳ２０１３／００１７９０１
【特許文献２】米国特許公報ＵＳ７９８０９５９
【発明の概要】
【発明が解決しようとする課題】
【０００５】
利便性の観点から、調節の状況が容易に理解できるのが好ましい。本発明の目的は、調節の利便性に優れたゴルフクラブの提供にある。
【課題を解決するための手段】
【０００６】
好ましいゴルフクラブは、シャフトと、ホーゼルを有するヘッドと、上記シャフトの先端部に固定されたスリーブと、上記シャフトの後端部に固定されたグリップと、このスリーブに結合しうる結合部材と、を備えている。上記シャフトは、上記ヘッドに、取り外し可能に取り付けられている。上記スリーブは、複数の周方向固定位置で、上記ヘッドに固定可能である。上記ヘッドに対する上記シャフトの三次元角度は、上記スリーブの上記周方向固定位置に起因して変化する。上記シャフトは、外部に露出している露出部を有している。上記露出部は、上記周方向固定位置を確認するためのシャフトマーキングを有している。
【０００７】
好ましくは、上記ヘッドが、ヘッドマーキングを有している。好ましくは、上記ヘッドマーキングは、上記ホーゼルに配置されている。好ましくは、上記シャフトマーキングは、上記露出部の先端部に配置されている。
【０００８】
好ましくは、上記グリップは、上記周方向固定位置を確認するためのグリップマーキングを有している。
【０００９】
好ましくは、上記グリップマーキングは、上記グリップの先端部に配置されている。
【００１０】
好ましくは、上記スリーブが上記シャフトに固定された後に、上記シャフトマーキングが形成されている。
【００１１】
好ましくは、上記シャフトに固定された上記スリーブが上記ヘッドに取り付けられた後に、上記シャフトマーキングが形成されている。
【００１２】
好ましくは、上記シャフトマーキングは、レーザーによって形成されている。
【００１３】
他の好ましいゴルフクラブは、シャフトと、ホーゼルを有するヘッドと、上記シャフトの先端部に固定されたスリーブと、上記シャフトの後端部に固定されたグリップと、このスリーブに結合しうる結合部材と、を備えている。上記シャフトは、上記ヘッドに、取り外し可能に取り付けられている。上記スリーブは、複数の周方向固定位置で、上記ヘッドに固定可能である。上記ヘッドに対する上記シャフトの三次元角度が、上記スリーブの上記周方向固定位置に起因して変化しうる。上記シャフトが、外部に露出している露出部を有している。上記露出部は、シャフトマーキングを有している。上記ヘッドは、ヘッドマーキングを有している。上記ヘッドマーキングは、上記ホーゼルに配置されている。上記シャフトマーキングは、上記露出部の先端部に配置されている。
【００１４】
好ましくは、上記シャフトマーキングの色は、見る角度によって変化する。上記シャフトマーキングを標準アドレス視点の角度から見たときの色がＳＲ１とされ、上記シャフトマーキングを正面から見たときの色がＳＲ２とされ、上記シャフトマーキングの周囲におけるシャフトの色がＳＲ３とされ、上記ＳＲ１と上記ＳＲ３との間の色差がΔＥａとされ、上記ＳＲ２と上記ＳＲ３との間の色差がΔＥｂとされる。好ましくは、ΔＥａはΔＥｂよりも小さい。
【発明の効果】
【００１５】
調節の利便性に優れたゴルフクラブが得られうる。
【図面の簡単な説明】
【００１６】
【図１】図１は、第１実施形態に係るゴルフクラブを示す図である。図１には、ヘッド近傍のみが示されている。
【図２】図２は、図１の分解図である。
【図３】図３は、図１の断面図である。
【図４】図４は、スリーブの一例を示す斜視図である。
【図５】図５は、図４のスリーブの底面図である。
【図６】図６は、図５のVI−VI線に沿った断面図である。
【図７】図７は、図５のVII−VII線に沿った断面図である。
【図８】図８は、図３のＦ８−Ｆ８線に沿った断面図である。
【図９】図９は、図１のゴルフクラブをヒール側から見た側面図である。図９では、ソールが上側である。
【図１０】図１０は、第２実施形態に係るゴルフクラブを示す図である。
【図１１】図１１は、図１０のゴルフクラブをヒール側から見た側面図である。図９と同様に、図１１では、ソールが上側である。
【図１２】図１２は、変形例に係るシャフトマーキング（及び／又はグリップマーキング）の展開図である。
【発明を実施するための形態】
【００１７】
以下、適宜図面が参照されつつ、好ましい実施形態に基づいて本発明が詳細に説明される。
【００１８】
なお、特に説明しない限り、本願における「周方向」とは、シャフトの周方向を意味する。特に説明しない限り、本願における「軸方向」とは、シャフトの軸方向を意味する。
【００１９】
図１は、本発明の第１実施形態であるゴルフクラブ２を示す。図１は、ゴルフクラブ２のヘッド近傍のみを示している。図２は、ゴルフクラブ２の分解図である。図３は、ゴルフクラブ２の断面図である。図３は、スリーブ８の中心軸線に沿った断面図である。
【００２０】
ゴルフクラブ２は、ヘッド４、シャフト６、スリーブ８、グリップ（図示されず）、ネジ１０及びフェラル１２を有する。シャフト６の先端部に、スリーブ８が固定されている。シャフト６の後端部には、図示されないグリップが取り付けられている。
【００２１】
ヘッド４は、ヘッド本体１４と、係合部材１６とを有する。ヘッド本体１４は、ホーゼル１７を有する。ホーゼル１７は、スリーブ８を挿入するためのホーゼル孔１８を有する。
【００２２】
ヘッド本体１４は、ネジ１０を挿通するための通孔１９を有する。通孔１９は、ホーゼル孔１８の底部を貫通している。またヘッド本体１４は、ソール開口２０を有する（図３参照）。ソール開口２０とホーゼル孔１８とは、通孔１９によって連続している。ヘッド本体１４は、中空部を有している。
【００２３】
ヘッド４のタイプは限定されない。本実施形態のヘッド４は、ウッド型ゴルフクラブである。ヘッド４は、ユーティリティ型ヘッド、ハイブリッド型ヘッド、アイアン型ヘッド、パターヘッド等であってもよい。
【００２４】
シャフト６は限定されず、汎用のカーボンシャフトやスチールシャフトなどが用いられうる。本実施形態のシャフト６は、カーボンシャフトである。
【００２５】
シャフト６は、露出部Ｅｘと非露出部Ｅｙとを有している（図３参照）。露出部Ｅｘは、外部に露出している。露出部Ｅｘは、外部から視認されうる。非露出部Ｅｙは、外部に露出していない。非露出部Ｅｙは、スリーブ８、フェラル１２又はグリップにより覆われている。
【００２６】
ネジ１０は、頭部２２と軸部２４とを有する（図２参照）。ネジ１０は、ソール開口２０から、通孔１９を通過し、ネジ孔３２（後述）に至っている。ネジ１０は、スリーブ８とネジ結合している。頭部２２は、回転用凹部２６を有する（図３参照）。凹部２６に適合した工具を用いることにより、ヘッド本体１４の内部に位置するネジ１０が軸回転されうる。この軸回転により、スリーブ８の取り付け及び取り外しが可能である。ネジ１０は、スリーブ８に結合しうる結合部材の一例である。この結合は、機械的結合である。
【００２７】
係合部材１６は、ヘッド本体１４に固定されている（図３参照）。この固定の方法は限定されず、接着、溶接、嵌め込み及びこれらの組み合わせが例示される。係合部材１６は、ホーゼル孔１８の上側開口から、ホーゼル孔１８の内部に入れられる。係合部材１６は、ホーゼル孔１８の底部に固定されている。
【００２８】
係合部材１６は、回転防止部を有する。この回転防止部は、係合部材１６の内面に形成されている。この回転防止部については、後述される。
【００２９】
図４は、スリーブ８の斜視図である。図５は、スリーブ８の底面図である。図６は、図５のVI−VI線に沿った断面図である。図７は、図５のVII−VII線に沿った断面図である。
【００３０】
スリーブ８は、シャフト孔３０とネジ孔３２とを有する（図６及び図７）。シャフト孔３０は、一方側（上側）に開口している。ネジ孔３２は、他方側（下側）に開口している。シャフト孔３０の下側に、ネジ孔３２が配置されている。
【００３１】
更にスリーブ８は、円周面３４、傾斜面３５、露出面３６及び回転防止部３８を有する。円周面３４は、外径が一定の部分である。露出面３６の下端には、段差面３９が存在する。
【００３２】
図１及び図３で示されるのは、シャフト６がヘッド４に取り付けられた取り付け状態である。この取り付け状態において、露出面３６は、外部に露出している。露出面３６の下端の外径は、ホーゼル端面３７の外径に略等しい。露出面３６の上端の外径は、フェラル１２の下端の外径に略等しい。露出面３６及びフェラル１２が、全体として、一般的なフェラルのように見える。露出面３６は、外観性を向上させている。
【００３３】
スリーブ８のうち、露出面３６よりも下側の部分が、ホーゼル孔１８に挿入されている（図３参照）。傾斜面３５の形状は、ホーゼル孔１８の面取り部４１の形状に対応している。
【００３４】
図６が示すように、シャフト孔３０の軸線ｈ１は、スリーブ８の外面の軸線ｚ１に対して傾斜している。したがって、シャフト６の軸線ｓ１は、上記軸線ｚ１に対して傾斜している。ホーゼル孔１８の軸線ｅ１は、上記軸線ｚ１に一致している。シャフト６の軸線ｓ１は、ホーゼル孔１８の軸線ｅ１に対して傾斜している。
【００３５】
図６において両矢印θ１で示されるのは、上記軸線ｅ１と上記軸線ｓ１との成す角度である。適度な調節性の観点から、好ましくは、傾斜角度θ１は、０．５°（ｄｅｇｒｅｅ）以上２°以下である。
【００３６】
シャフト６の先端部は、シャフト孔３０に固定されている。この固定は、接着剤による接着によって達成されている。シャフト６の外面が、シャフト孔３０の内面に接着されている。接着以外の手段で固定が達成されていてもよい。
【００３７】
スリーブ８の抜け止めは、ネジ結合により達成される。図３が示すように、スリーブ８のネジ孔３２は、ネジ１０とネジ結合している。このネジ結合により、スリーブ８の抜けが防止される。このネジ結合に起因する軸力が、ホーゼル端面３７と段差面３９との間の圧力と、釣り合っている。この軸力を担保するため、上記ネジ結合が完了した状態において、ネジ１０の先端とネジ孔３２の底面との間には、隙間Ｋ１が存在している（図３参照）。
【００３８】
図４及び図５が示すように、スリーブ８の回転防止部３８は、複数の凸部ｔ２を有する。回転防止部３８は、１２の凸部ｔ２を有する。複数の凸部ｔ２は、周方向に均等に配置されている。本実施形態では、複数の凸部ｔ２は、３０°おきに配置されている。
【００３９】
回転防止部３８は、軸線ｚ１を回転対称軸とした回転対称性を有する。回転対称性とは、その回転対称軸回りに（３６０／Ｗ）度回転させたときに、回転前の形状と一致することを意味する。ただしＷは２以上の整数である。回転対称軸回りに（３６０／Ｗ）度回転させたときに、回転前の形状と一致することが、「Ｗ回回転対称」とも称される。本実施形態の回転防止部３８は、軸線ｚ１に関して、１２回回転対称である。
【００４０】
図８は、図３のＦ８−Ｆ８線に沿った断面図である。
【００４１】
係合部材１６の外面は、一定の外径を有する円周面である。一方、係合部材１６の内側には、回転防止部４８が設けられている。回転防止部４８は、１２個の凹部ｒ２を有する。これらの凹部ｒ２は、周方向に均等間隔で配置されている。なお、係合部材１６は、ヘッド本体１４に一体成形されてもよい。
【００４２】
回転防止部４８は、軸線ｚ１を回転対称軸とした回転対称性を有する。回転防止部４８は、軸線ｚ１に関して１２回回転対称である。回転防止部４８の形状は、回転防止部３８の形状に対応している。
【００４３】
スリーブ８とホーゼル孔１８との相対回転の規制は、回転防止部３８と回転防止部４８との係合によって達成される。回転防止部３８と回転防止部４８とが係合している。この係合により、ヘッド４とシャフト６との相対回転が規制されている。回転防止部４８と回転防止部３８との係合により、ヘッド４に対するスリーブ８の回転が規制されている。打撃によって、シャフト６は、ヘッド４に対して回転しない。
【００４４】
スリーブ８は、複数の周方向固定位置で、固定されうる。本実施形態では、スリーブ８は、１２の周方向固定位置を有する。換言すれば、回転防止部３８と回転防止部４８との係合が可能な周方向相対位置は、１２通りである。上記傾斜角度θ１に起因して、スリーブ８の周方向固定位置が変化すると、ヘッド４に対するシャフト６の三次元角度が変化する。この三次元角度の変化により、ロフト角、ライ角及びフック角が変化する。
【００４５】
スリーブ８の周方向固定位置の数として、１２の他、４、５、６、８等が例示される。調節性を高める観点から、スリーブ８の周方向固定位置の数は、４以上が好ましく、８以上がより好ましい。回転防止部の形状が複雑となることを防止する観点から、スリーブ８の周方向固定位置の数は、２４以下が好ましく、２０以下がより好ましい。
【００４６】
図９は、ゴルフクラブ２をヒール側から見た側面図である。図９では、ゴルフクラブ２のソールが上側とされている。
【００４７】
上述の通り、スリーブ８は、複数の周方向固定位置で、ヘッド４に固定可能である。ヘッド４に対するシャフト６の三次元角度が、スリーブ８の上記周方向固定位置に起因して変化する。この三次元角度の変化に起因して、リアルロフト角、ライ角及びフェース角が変化する。このように、ゴルフクラブ２は、リアルロフト角、ライ角及びフェース角を調節しうる角度調節機能を有する。
【００４８】
図９が示すように、ヘッド４は、ヘッドマーキングＨｍを有する。ヘッドマーキングＨｍは、ホーゼル１７に設けられている。ヘッドマーキングＨｍは、ホーゼル１７の外周面に設けられている。ヘッドマーキングＨｍは、周方向における１箇所に設けられている。ヘッドマーキングＨｍは、周方向における複数箇所に設けられても良い。
【００４９】
本実施形態では、ヘッドマーキングＨｍは星印である。ヘッドマーキングＨｍの形状は限定されない。ヘッドマーキングＨｍは、目視により視認されうる。
【００５０】
図９が示すように、シャフト６は、シャフトマーキングＳｍを有する。シャフトマーキングＳｍは、スリーブ８の周方向固定位置Ｐｖを確認するために設けられている。
【００５１】
シャフトマーキングＳｍは、シャフト６の表面に設けられている。シャフトマーキングＳｍは、露出部Ｅｘの先端部に設けられている。シャフトマーキングＳｍは、周方向における１箇所に設けられている。シャフトマーキングＳｍは、周方向における複数箇所に設けられていても良い。
【００５２】
本実施形態では、シャフトマーキングＳｍは、線である。シャフトマーキングＳｍの形状は限定されない。シャフトマーキングＳｍは、目視により視認されうる。
【００５３】
スリーブ８が少なくとも１の上記周方向固定位置にあるとき、ヘッドマーキングＨｍとシャフトマーキングＳｍとの相対位置が、目視により確認されうる。図９が示すように、１つの視点から、ヘッドマーキングＨｍ及びシャフトマーキングＳｍの両方が視認されうる。よって、ヘッドマーキングＨｍとシャフトマーキングＳｍとの相対位置が確認されている。
【００５４】
以下において、スリーブ８の周方向位置がＰｖとされる。以下において、ヘッドマーキングＨｍの周方向位置がＰｈとされる。以下において、シャフトマーキングＳｍの周方向位置がＰｓとされる。以下において、グリップマーキングＧｍ（後述）の周方向位置がＰｇとされる。
【００５５】
図９の状態では、ヘッドマーキングＨｍの周方向位置ＰｈとシャフトマーキングＳｍの周方向位置Ｐｓとが一致している。好ましくは、周方向位置Ｐｈと周方向位置Ｐｓとが一致するような、スリーブ８の周方向固定位置Ｐｖが存在する。本実施形態では、周方向固定位置Ｐｖが１２である。このうちの１つの周方向固定位置Ｐｖにおいて、周方向位置Ｐｈと周方向位置Ｐｓとが一致している。
【００５６】
ヘッドマーキングＨｍとシャフトマーキングＳｍとの相対位置によって、スリーブ８の周方向固定位置Ｐｖが容易に判断されうる。よって、リアルロフト角、ライ角及びフェース角の調整が容易とされている。
【００５７】
図１０は、第２実施形態のゴルフクラブ５２を示す。ゴルフクラブ５２は、ヘッド５４、シャフト５６、スリーブ５８、グリップ６０、ネジ（図示されず）及びフェラル６２を有する。
【００５８】
ヘッド５４は、前述のヘッド４と同じである。ヘッド５４は、ヘッドマーキングＨｍを有する。ヘッドマーキングＨｍは、スリーブ５８の周方向固定位置Ｐｖを判断するために設けられている。シャフト５６は、前述のシャフト６と同じである。シャフト５６は、シャフトマーキングＳｍを有する。シャフトマーキングＳｍは、スリーブ５８の周方向固定位置Ｐｖを判断するために設けられている。スリーブ５８は、前述のスリーブ８と同じである。ネジ（図示されず）は、前述のネジ１０と同じである。フェラル６２は、前述のフェラル１２と同じである。
【００５９】
図１１は、ゴルフクラブ５２をヒール側から見た側面図である。グリップ６０は、グリップマーキングＧｍを有している。グリップマーキングＧｍは、スリーブ８の周方向固定位置Ｐｖを確認するために設けられている。グリップマーキングＧｍは、グリップ６０の表面に設けられている。グリップマーキングＧｍは、外部から視認されうる。グリップマーキングＧｍは、周方向における１箇所に設けられている。グリップマーキングＧｍは、周方向における複数箇所に設けられても良い。
【００６０】
本実施形態では、グリップマーキングＧｍは、線である。グリップマーキングＧｍの形状は限定されない。グリップマーキングＧｍは、目視により視認されうる。グリップマーキングＧｍは、スリーブ５８の周方向固定位置Ｐｖを判断するために設けられている。
【００６１】
本実施形態では、グリップマーキングＧｍの周方向位置Ｐｇは、シャフトマーキングＳｍの周方向位置Ｐｓと同じである。よって、スリーブ５８の周方向固定位置Ｐｖの把握が容易とされている。周方向位置Ｐｇは、周方向位置Ｐｓとは相違していてもよい。
【００６２】
シャフトマーキングＳｍは、アドレスにおいてゴルファーから見えにくい位置に配置されてもよい。図１１に示す状態では、シャフトマーキングＳｍは、アドレスにおけるゴルファーから見て、裏側に位置する。スリーブの周方向固定位置Ｐｖは、シャフトマーキングＳｍがアドレスにおいてゴルファーから見えなくなるような周方向位置を含む。この周方向位置では、ゴルフクラブ５２を握ってアドレスしているゴルファーは、シャフトマーキングＳｍを見ることができない。シャフトマーキングＳｍは、アドレスでのゴルファーの集中を過度に阻害しない。
【００６３】
ヘッドマーキングＨｍは、アドレスにおいてゴルファーから見えにくい位置に配置されてもよい。図１１に示すように、ヘッドマーキングＨｍは、アドレスにおけるゴルファーから見て、裏側に位置する。ヘッドマーキングＨｍは、アドレスにおいてゴルファーから見えない位置に配置されている。ゴルフクラブ５２を握ってアドレスしているゴルファーは、ヘッドマーキングＨｍを見ることができない。よって、ヘッドマーキングＨｍは、アドレスでのゴルファーの集中を阻害しない。
【００６４】
グリップマーキングＧｍは、アドレスにおいてゴルファーから見えにくい位置に配置されてもよい。図１１に示す状態では、グリップマーキングＧｍは、アドレスにおけるゴルファーから見て、裏側に位置する。スリーブの周方向固定位置Ｐｖは、グリップマーキングＧｍがアドレスにおいてゴルファーから見えなくなるような周方向位置を含む。この周方向位置では、ゴルフクラブ５２を握ってアドレスしているゴルファーは、グリップマーキングＧｍを見ることができない。よって、グリップマーキングＧｍは、アドレスでのゴルファーの集中を過度に阻害しない。
【００６５】
アドレスにおいてマーキングがゴルファーから見えるか否かの判別は、次の判別方法による。この判別方法では、クラブが基準状態にセットされ、且つ、標準アドレス視点が設定される。この標準アドレス視点から上記基準状態のクラブを見ることにより、上記判別がなされる。標準アドレス視点にレンズの中心がセットされたカメラの画像によって、上記判別がなされうる。
【００６６】
上記基準状態では、ゴルフクラブが、規定のライ角で、水平面ＨＰ上に静置される。シャフト軸線ｓ１は、水平面ＨＰに対して垂直な平面ＶＰ内に配置される。シャフト６は、上記ライ角が保持され、軸線ｓ１方向に移動可能で、且つ、軸線ｓ１を中心に回転可能に、支持されている。このシャフト６の支持を維持しながら、ヘッド４が最も安定するように、ソールが水平面ＨＰに接地される。このヘッド４が最も安定した状態が、上記基準状態である。この基準状態のクラブにおいて、グリップエンドから鉛直方向上側に６０ｃｍ隔てた位置が、標準アドレス視点と定義される。
【００６７】
［シャフトマーキングＳｍの軸方向位置］
図１１において両矢印Ｄ１で示されるのは、スリーブ５８の露出端とシャフトマーキングＳｍとの軸方向距離である。スリーブ５８の露出端とは、組立状態において露出している部分の端である。この露出端は、スリーブ５８の、グリップ６０側の端である。
【００６８】
ヘッドマーキングＨｍとの相対位置が容易に判断されうるとの観点から、シャフトマーキングＳｍは、スリーブ５８の露出端の近傍に配置されているのが好ましい。この「近傍」とは、上記Ｄ１が１５ｃｍ以下であることを意味する。
【００６９】
ヘッドマーキングＨｍとの相対位置が容易に判断されうるとの観点から、上記距離Ｄ１は、１５ｃｍ以下が好ましく、１３ｃｍ以下がより好ましく、１０ｃｍ以下がより好ましく、５ｃｍ以下がより好ましく、３ｃｍ以下がより好ましく、１ｃｍ以下がより好ましい。距離Ｄ１は０ｃｍであってもよい。
【００７０】
図１１において両矢印Ｄ５で示されるのは、シャフト５６の露出部Ｅｘの先端とシャフトマーキングＳｍとの軸方向距離である。ヘッドマーキングＨｍとの相対位置が容易に判断されうるとの観点から、上記距離Ｄ５は、１０ｃｍ以下が好ましく、８ｃｍ以下がより好ましく、７ｃｍ以下がより好ましく、５ｃｍ以下がより好ましく、３ｃｍ以下がより好ましく、１ｃｍ以下がより好ましく、０．５ｃｍがより好ましい。図１１の実施形態では、距離Ｄ５は０ｃｍである。
【００７１】
ヘッドマーキングＨｍとの相対位置が容易に判断されうるとの観点から、シャフトマーキングＳｍは、露出部Ｅｘの先端部に配置されるのが好ましい。上記距離Ｄ５が１０ｃｍ以下である場合に、シャフトマーキングＳｍが露出部Ｅｘの先端部に配置されていると判断される。
【００７２】
［ヘッドマーキングＨｍの軸方向位置］
図１１において両矢印Ｄ２で示されるのは、ホーゼル端面とヘッドマーキングＨｍとの軸方向距離である。シャフトマーキングＳｍとの相対位置が容易に判断されうるとの観点から、上記距離Ｄ２は、３ｃｍ以下が好ましく、２ｃｍ以下がより好ましく、１ｃｍ以下がより好ましい。距離Ｄ２は、０ｃｍであってもよい。
【００７３】
［グリップマーキングＧｍの軸方向位置］
図１１において両矢印Ｄ３で示されるのは、グリップ６０の先端６６とグリップマーキングＧｍとの軸方向距離である。先端６６は、ヘッド側の端面である。周方向固定位置Ｐｖの判断が容易とされうるとの観点から、上記距離Ｄ３は、３ｃｍ以下が好ましく、２ｃｍ以下がより好ましく、１ｃｍ以下がより好ましい。距離Ｄ３は、０ｃｍであってもよい。図１１の実施形態では、距離Ｄ３は０ｃｍである。換言すれば、グリップマーキングＧｍは、先端６６に接している。
【００７４】
周方向固定位置Ｐｖの判断が容易とされうるとの観点から、グリップマーキングＧｍは、グリップ６０の先端部に配置されるのが好ましい。上記距離Ｄ３が３ｃｍ以下である場合に、グリップマーキングＧｍがグリップ６０の先端部に配置されていると判断される。
【００７５】
図１１において両矢印Ｄ４で示されるのは、ヘッドマーキングＨｍとシャフトマーキングＳｍとの間の軸方向距離である。マーキングＨｍとマーキングＳｍとの位置関係が容易に判断されうるとの観点から、距離Ｄ４は、２０ｃｍ以下が好ましく、１５ｃｍ以下がより好ましく、１０ｃｍ以下が好ましく、５ｃｍ以下がより好ましく、３ｃｍ以下がより好ましい。フェラル及びスリーブの存在を考慮すると、距離Ｄ４は、０．５ｃｍ以上が好ましい。
【００７６】
［シャフトマーキングＳｍの形成方法］
シャフトマーキングＳｍの形成方法は限定されない。目視により認識されるものであれば、シャフトマーキングＳｍとして機能しうる。シャフトマーキングＳｍは、二次元的な表示であってもよいし、三次元的な表示であってもよい。三次元的な表示としては、凹部（溝を含む）及び凸部が例示される。三次元的な表示は、シャフト自体によって形成されていてもよいし、シャフトに取り付けられた表示用部材によって形成されていてもよい。この表示用部材として、シャフトに貼り付けられたシールが例示される。二次元的な表示の形成方法として、レーザーを用いた方法、インクジェットによる印刷、塗装及びスクリーン印刷が例示される。
【００７７】
好ましいシャフトマーキングＳｍの一例は、レーザーによって形成される。この方法では、レーザーの照射によって、シャフトマーキングＳｍが形成される。例えば、市販のレーザーマーカが用いられうる。レーザーにより、簡易、正確且つ迅速に、マーキングが形成されうる。このレーザーを用いた方法は、例えば組み立てられたクラブにも容易に適用されうる。よって、このレーザーを用いた方法は、次の（ａ）及び（ｂ）に適している。
（ａ）スリーブがシャフトに固定された後に、シャフトマーキングＳｍが形成される。
（ｂ）シャフトに固定されたスリーブがヘッドに取り付けられた後に、シャフトマーキングＳｍが形成される。
【００７８】
上記（ａ）の場合、スリーブが固定された後にシャフトマーキングＳｍが付されるので、スリーブに対するシャフトマーキングＳｍの相対位置が精度良く設定される。
【００７９】
上記（ｂ）の場合、シャフトがヘッドに固定された後にシャフトマーキングＳｍが付されるので、ヘッド及びスリーブに対するシャフトマーキングＳｍの相対位置が精度良く設定される。
【００８０】
シャフトマーキングＳｍは、インクジェットによって印刷されてもよい。市販のインクジェットプリンタが用いられうる。
【００８１】
［ヘッドマーキングＨｍの形成方法］
ヘッドマーキングＨｍの形成方法は限定されない。目視により認識されるものであれば、ヘッドマーキングＨｍとして機能しうる。ヘッドマーキングＨｍは、二次元的な表示であってもよいし、三次元的な表示であってもよい。三次元的な表示としては、凹部（溝を含む）、貫通孔及び凸部が例示される。この三次元的な表示の一例として、ホーゼル端面に設けられた切り欠きが挙げられる。三次元的な表示は、ヘッド自体によって形成されていてもよいし、ヘッドに取り付けられた表示用部材によって形成されていてもよい。この表示用部材として、ヘッドに貼り付けられたシールが例示される。二次元的な表示の形成方法として、レーザーを用いた方法、インクジェットによる印刷、塗装及びスクリーン印刷が例示される。
【００８２】
好ましいヘッドマーキングＨｍの形成方法として、レーザーを用いた方法が例示される。この方法では、レーザーの照射によって、ヘッドマーキングＨｍが形成される。例えば、市販のレーザーマーカが用いられうる。レーザーにより、簡易、正確且つ迅速に、マーキングが形成されうる。このレーザーを用いた方法は、例えば組み立てられたクラブにも容易に適用されうる。よって、このレーザーを用いた方法は、次の（ｃ）に適している。
（ｃ）シャフトを有するスリーブがヘッドに固定された後に、ヘッドマーキングＨｍが形成される。
【００８３】
上記（ｃ）の場合、シャフトがヘッドに固定された後にヘッドマーキングＨｍが付されるので、シャフト及びスリーブに対するヘッドマーキングＨｍの相対位置が精度良く設定される。
【００８４】
ヘッドマーキングＨｍは、インクジェットによって印刷されてもよい。市販のインクジェットプリンタが用いられうる。
【００８５】
［グリップマーキングＧｍの形成方法］
グリップマーキングＧｍの形成方法は限定されない。目視により認識されるものであれば、グリップマーキングＧｍとして機能しうる。グリップマーキングＧｍは、二次元的な表示であってもよいし、三次元的な表示であってもよい。三次元的な表示としては、凹部（溝を含む）、貫通孔及び凸部が例示される。この三次元的な表示の一例として、グリップ表面に設けられた溝が挙げられる。この溝の内部にペイントが配置されてもよい。三次元的な表示は、グリップ自体によって形成されていてもよいし、グリップに取り付けられた表示用部材によって形成されていてもよい。二次元的な表示の形成方法として、レーザーを用いた方法、インクジェットによる印刷、塗装及びスクリーン印刷が例示される。
【００８６】
材質の相違によってグリップマーキングＧｍが形成されてもよい。例えば、ゴムにより形成されたグリップにおいて、ゴムの色を相違させることによってグリップマーキングＧｍが形成されてもよい。
【００８７】
グリップマーキングＧｍの周方向位置をシャフトマーキングＳｍの周方向位置に適合させる観点から、次の方法（ｄ）又は（ｅ）が採用されてもよい。
（ｄ）グリップマーキングＧｍを有するグリップがシャフトに固定された後に、シャフトマーキングＳｍが形成される。
（ｅ）シャフトマーキングＳｍを有するシャフトに、グリップマーキングＧｍを有するグリップが装着される。この装着において、グリップマーキングＧｍとシャフトマーキングＳｍとの相対位置が調整される。
【００８８】
上記（ｄ）及び（ｅ）の場合、グリップマーキングＧｍに対するシャフトマーキングＳｍの相対位置が精度良く設定される。
【００８９】
［マーキング間の比較］
【００９０】
シャフトマーキングＳｍとヘッドマーキングＨｍとの間で、形状は、同じであってもよいし、相違していてもよい。図１１の実施形態では、両者の形状は相違している。すなわち、この実施形態では、ヘッドマーキングＨｍが星形であり、シャフトマーキングＳｍは長方形である。両者の形状が相違している場合、マーキング同士の区別がつきやすい。両者の形状が同一である場合、両者の相対位置が判断されやすい場合がある。
【００９１】
シャフトマーキングＳｍとグリップマーキングＧｍとの間で、形状は、同じであってもよいし、相違していてもよい。図１１の実施形態では、両者の形状は同じである。すなわち、この実施形態では、グリップマーキングＧｍが長方形であり、シャフトマーキングＳｍも長方形である。このように両者が同一である場合、両者が共に周方向固定位置Ｐｖを判断するためのマーキングであるということが理解されやすい。
【００９２】
シャフトマーキングＳｍとヘッドマーキングＨｍとの間で、軸方向長さは、同じであってもよいし、相違していてもよい。図１１の実施形態では、これらの軸方向長さは相違している。すなわち、図１１が示すように、ヘッドマーキングＨｍの軸方向長さＬＨは、シャフトマーキングＳｍの軸方向長さＬＳと相違している。長さＬＨと長さＬＳとが相違している場合、マーキング同士の区別がつきやすい。
【００９３】
図１１の実施形態では、長さＬＳが長さＬＨよりも大きい。スリーブの周方向固定位置Ｐｖが変更されると、シャフトマーキングＳｍの周方向位置Ｐｓが移動する。長さＬＳが長さＬＨよりも大きくされることで、周方向位置Ｐｓの移動が判別されやすい。よって、周方向固定位置Ｐｖが容易に把握されうる。
【００９４】
シャフトマーキングＳｍとグリップマーキングＧｍとの間で、軸方向長さは、同じであってもよいし、相違していてもよい。図１１の実施形態では、これらの軸方向長さは同じである。すなわち、図１１が示すように、グリップマーキングＧｍの軸方向長さＬＧは、上記軸方向長さＬＳと同じである。長さＬＧと長さＬＳとが同じである場合、両者が共に周方向固定位置Ｐｖを判断するためのマーキングであるということが理解されやすい。
【００９５】
長さＬＳが長さＬＧよりも大きく、且つ、長さＬＧが長さＬＨよりも大きくされてもよい。大きなＬＳにより、シャフトの周方向位置Ｐｓが容易に判別されうる。アドレスにおいて、グリップマーキングＧｍはシャフトマーキングＳｍよりもゴルファーの目に近い。よって、長さＬＧが過大である場合、アドレスの際にグリップマーキングＧｍが目立ち過ぎることがある。長さＬＧが長さＬＳよりも小さくされることで、アドレスの際に、グリップマーキングＧｍが過度に目立ちにくい。
【００９６】
シャフトマーキングＳｍの面積がＡｓとされ、ヘッドマーキングＨｍの面積がＡｈとされ、グリップマーキングＧｍの面積がＡｇとされる。シャフトの周方向位置Ｐｓが容易に判断されうるとの観点から、面積Ａｓは、面積Ａｈよりも大きいのが好ましい。同様の観点から、面積Ａｓが面積Ａｇより大きくされてもよい。
【００９７】
シャフトマーキングＳｍとヘッドマーキングＨｍとが同色とされてもよい。この場合、マーキングＳｍとマーキングＨｍとの間の相対位置が判別されやすい。なお本願において「同色」とは、色差ΔＥが１０以下であることを意味し、より好ましくは、ΔＥは３以下である。
【００９８】
上記色差ΔＥは、下記の数式に基づいて算出される。
ΔＥ＝（（ΔＬ＊）２＋（Δａ＊）２＋（Δｂ＊）２）１／２
この数式においてΔＬ＊は、第一の色と第二の色との間での、明度指数Ｌ＊の差である。この数式においてΔａ＊は、上記第一の色の指数ａ＊と上記第二の色の指数ａ＊との差である。この数式においてΔｂ＊は、上記第一の色の指数ｂ＊と上記第二の色の指数ｂ＊との差である。Ｌ＊、ａ＊及びｂ＊は、ＣＩＥＬＡＢ表示系における指数である。指数Ｌ＊、ａ＊及びｂ＊は、下記数式によって算出される。
Ｌ＊ ＝ １１６（Ｙ／Ｙｎ）１／３ − １６
ａ＊ ＝ ５００（（Ｘ／Ｘｎ）１／３ − （Ｙ／Ｙｎ）１／３）
ｂ＊ ＝ ２００（（Ｙ／Ｙｎ）１／３ − （Ｚ／Ｚｎ）１／３）
これら数式において、Ｘ、Ｙ及びＺはＸＹＺ表示系における三刺激値であり、Ｘｎ、Ｙｎ及びＺｎは完全拡散反射面の三刺激値である。ＣＩＥＬＡＢ表示系は、国際照明委員会（ＣＩＥ）によって１９７６年に決定された規格である。日本では、「ＪＩＳ  Ｚ  ８７２９」において、ＣＩＥＬＡＢ表示系が採用されている。Ｌ＊は、明度の指数である。ａ＊及びｂ＊は、色相及び彩度と相関する指数である。ａ＊のマイナス方向は緑方向であり、プラス方向は赤方向である。ｂ＊のマイナス方向は青方向であり、プラス方向は黄方向である。指数の測定は、コニカミノルタ社の色彩色差計「ＣＭ−３５００ｄ」によってなされる。受光部が対象物の表面に当てられ、測定がなされる。光源には、「標準の光Ｄ６５」が採用される。この光源の色温度は、６５０４ｋである。分光感度としては、「２°視野」が採用される。孔径として、８ｍｍが採用される。
【００９９】
図１２は、変形例に係るシャフトマーキングＳｍを示す。図１２は展開図である。実際には、このシャフトマーキングＳｍの１２の目盛りが、シャフトの周方向に均等に配置される。
【０１００】
このシャフトマーキングＳｍは、上記角度調節機能の状態を判断しうる表示を含んでいる。本実施形態において、文字「Ｎ」は、「ＮＥＵＴＲＡＬ」を意味する。本実施形態において、文字「Ｒ」は、「ＲＩＧＨＴ」を意味する。この「Ｒ」は、フェース角が最も右に調整されることを意味する。この「Ｒ」は、打球が右に行きやすいことを意味する。本実施形態において、文字「Ｌ」は、「ＬＥＦＴ」を意味する。この「Ｌ」は、フェース角が最も左に調節されることを意味する。換言すれば、この「Ｌ」は、打球が左に行きやすいことを意味する。本実施形態において、文字「ＮＵ」は、「ＮＥＵＴＲＡＬ  ＵＰＲＩＧＨＴ」を意味する。この「ＮＵ」は、フェース角が中立であり且つライ角が最大であることを意味する。これらの文字とヘッドマーキングＨｍとの相対位置によって、上記角度調節機能の状態が判断されうる。
【０１０１】
同様に、グリップマーキングＧｍが、上記角度調節機能の状態を判断しうる表示を含んでいてもよい。同様に、ヘッドマーキングＨｍが、上記角度調節機能の状態を判断しうる表示を含んでいてもよい。例えば、グリップマーキングＧｍは、図１２に示される表示であってもよい。
【０１０２】
シャフトマーキングＳｍの色は、見る角度によって変化してもよい。この色の変化に基づき、上記標準アドレス視点の角度Ｘから見たときの色が、正面（角度９０°）から見たときの色に比較して、目立たないのが好ましい。この場合、アドレスではシャフトマーキングＳｍが目立たず、且つ、上記周方向固定位置Ｐｖの確認は容易とされうる。この観点から、次の（Ｓ１）が好ましい。
【０１０３】
（Ｓ１）シャフトマーキングＳｍを標準アドレス視点の角度Ｘから見たときの色がＳＲ１とされ、シャフトマーキングＳｍを正面から見たときの色がＳＲ２とされ、シャフトマーキングＳｍの周囲におけるシャフトの色がＳＲ３とされ、上記ＳＲ１と上記ＳＲ３との間の色差がΔＥａとされ、上記ＳＲ２と上記ＳＲ３との間の色差がΔＥｂとされるとき、ΔＥａがΔＥｂよりも小さい。なお色差は、上述の方法によって算出される。
【０１０４】
周方向固定位置Ｐｖが複数である場合、複数の上記角度Ｘが存在しうる。この場合、好ましくは、少なくとも１つの上記角度Ｘにおいて上記（Ｓ１）が充足される。より好ましくは、全ての上記角度Ｘにおいて上記（Ｓ１）が充足される。
【０１０５】
このようなシャフトマーキングＳｍの形成には、例えば、見る角度によって色が変化する塗料が用いられる。この塗料として、偏光性塗料が挙げられる。好ましい偏光性塗料は、複数層を有する顔料フレークを含む。この偏光性塗料として、日本ペイント株式会社製の「マジョーラ」（登録商標）が例示される。
【０１０６】
グリップマーキングＧｍの色は、見る角度によって変化してもよい。この色の変化に基づき、上記標準アドレス視点の角度Ｙから見たときの色が、正面（角度９０°）から見たときの色に比較して、目立たないのが好ましい。この場合、アドレスではグリップマーキングＧｍが目立たず、且つ、上記周方向固定位置Ｐｖの確認は容易とされうる。この観点から、次の（Ｇ１）が好ましい。
【０１０７】
（Ｇ１）グリップマーキングＧｍを標準アドレス視点の角度Ｙから見たときの色がＧＲ１とされ、グリップマーキングＧｍを正面から見たときの色がＧＲ２とされ、グリップマーキングＧｍの周囲におけるグリップの色がＧＲ３とされ、上記ＧＲ１と上記ＧＲ３との間の色差がΔＥｃとされ、上記ＧＲ２と上記ＧＲ３との間の色差がΔＥｄとされるとき、ΔＥｃがΔＥｄよりも小さい。
【０１０８】
周方向固定位置Ｐｖが複数である場合、複数の上記角度Ｙが存在しうる。この場合、好ましくは、少なくとも１つの上記角度Ｙにおいて上記（Ｇ１）が充足される。より好ましくは、全ての上記角度Ｙにおいて上記（Ｇ１）が充足される。
【０１０９】
このようなグリップマーキングＧｍの形成には、例えば、見る角度によって色が変化する塗料が用いられる。この塗料として、偏光性塗料が挙げられる。好ましい偏光性塗料は、複数層を有する顔料フレークを含む。この偏光性塗料として、日本ペイント株式会社製の「マジョーラ」（登録商標）が例示される。
【０１１０】
ヘッドマーキングＨｍの色は、見る角度によって変化してもよい。この色の変化に基づき、上記標準アドレス視点の角度Ｚから見たときの色が、正面（角度９０°）から見たときの色に比較して、目立たないのが好ましい。この場合、アドレスではヘッドマーキングＨｍが目立たず、且つ、上記周方向固定位置Ｐｖの確認は容易とされうる。この観点から、次の（Ｈ１）が好ましい。
【０１１１】
（Ｈ１）ヘッドマーキングＨｍを標準アドレス視点の角度Ｚから見たときの色がＨＲ１とされ、ヘッドマーキングＨｍを正面から見たときの色がＨＲ２とされ、ヘッドマーキングＨｍの周囲におけるヘッドの色がＨＲ３とされ、上記ＨＲ１と上記ＨＲ３との間の色差がΔＥｅとされ、上記ＨＲ２と上記ＨＲ３との間の色差がΔＥｆとされるとき、ΔＥｅがΔＥｆよりも小さい。
【０１１２】
このようなヘッドマーキングＨｍの形成には、例えば、見る角度によって色が変化する塗料が用いられる。この塗料として、偏光性塗料が挙げられる。好ましい偏光性塗料は、複数層を有する顔料フレークを含む。この偏光性塗料として、日本ペイント株式会社製の「マジョーラ」（登録商標）が例示される。
【０１１３】
上述の通り、シャフトマーキングＳｍは、視点効果を有するのが好ましい。視点効果とは、標準アドレス視点の角度から見たときの視認性が、正面から見たときの視認性よりも低いことを意味する。上記（Ｓ１）では、この視点効果が色によって達成されている。この視点効果は、形状によって達成されてもよい。例えば、シャフトマーキングＳｍの周方向幅は、スリーブに近づくほど小さくされてもよい。このようなシャフトマーキングＳｍの一例は、先細り形状であって、その先端がスリーブ側を指しているようなシャフトマーキングＳｍである。
【０１１４】
上述の通り、グリップマーキングＧｍは、視点効果を有するのが好ましい。上記（Ｇ１）では、この視点効果が色によって達成されている。この視点効果は、形状によって達成されてもよい。例えば、グリップマーキングＧｍの周方向幅は、グリップ６０の先端６６に近づくほど小さくされてもよい。このようなグリップマーキングＧｍの一例は、先細り形状であって、その先端がスリーブ側を指しているようなグリップマーキングＧｍである。
【０１１５】
上述の通り、ヘッドマーキングＨｍは、視点効果を有するのが好ましい。上記（Ｈ１）では、この視点効果が色によって達成されている。この視点効果は、形状によって達成されてもよい。例えば、ヘッドマーキングＨｍの周方向幅は、ソールに近づくほど小さくされてもよい。このようなヘッドマーキングＨｍの一例は、先細り形状であって、その先端がソール側を指しているようなヘッドマーキングＨｍである。
【実施例】
【０１１６】
以下、実施例によって本発明の効果が明らかにされるが、この実施例の記載に基づいて本発明が限定的に解釈されるべきではない。
【０１１７】
実施例として、図１１に示されるゴルフクラブが作製された。
【０１１８】
公知の方法で、ゴム原料が加圧及び加熱され、グリップ成形体を得た。このグリップ成形体は、グリップマーキング用の溝を有していた。この溝の内部にペイントを配置することによって、グリップマーキングＧｍが形成された。図１１が示すように、このグリップマーキングＧｍは、グリップの端面からグリップエンドの向かって延びるラインであった。
【０１１９】
上記スリーブ８と同じスリーブが用意された。このスリーブでは、上記角度θ１は、１．０°であった。市販のカーボンシャフトの先端部に、このスリーブが固定された。この固定は、接着剤による接着によって、達成された。この接着により、スリーブ付きシャフトを得た。
【０１２０】
市販のチタン合金製のヘッドが用意された。このヘッドに、ヘッドマーキングＨｍが形成された。ヘッドマーキングＨｍは、塗装によって形成された。このヘッドに、上記スリーブ付きシャフトが、ネジ結合によって固定され、組み立てられたクラブを得た。このクラブでは、スリーブが、複数（１２）の周方向固定位置で固定可能であった。
【０１２１】
この組み立て後のゴルフクラブに、シャフトマーキングＳｍが形成された。このシャフトマーキングＳｍは、レーザーによって形成された。図１１が示すように、シャフトマーキングＳｍは、フェラルに接する位置に形成された。ヘッドマーキングＨｍとの相対位置を確認しながら、シャフトマーキングＳｍが形成された。ヘッドマーキングＨｍと同じ周方向位置に、シャフトマーキングＳｍが形成された。次に、グリップが装着された。シャフトマーキングＳｍとグリップマーキングＧｍとの相対位置を確認しながら、グリップが装着された。シャフトマーキングＳｍとグリップマーキングＧｍとの間で、周方向位置は一致していた。
【０１２２】
このクラブでは、スリーブの周方向固定位置の変化に伴い、シャフトマーキングＳｍ及びグリップマーキングＧｍの周方向位置が変化した。
【０１２３】
図１１は、シャフトマーキングＳｍとヘッドマーキングＨｍとの間で周方向位置が一致した状態を示している。この実施例では、シャフトマーキングＳｍとヘッドマーキングＨｍとの間で周方向位置が一致する場合に、フェース角及びリアルロフト角がニュートラルであった。フェース角がニュートラルとは、フェース角が調整幅における中央値であることを意味する。リアルロフト角がニュートラルとは、リアルロフト角が調整幅における中央値であることを意味する。
【０１２４】
この実施例では、シャフトマーキングＳｍとヘッドマーキングＨｍとの間で周方向位置が一致する場合に、ライ角が調整幅における最小値であった。
【０１２５】
この実施例では、組み立ての後にシャフトマーキングＳｍが形成されたため、マーキングＨｍとマーキングＳｍとの位置関係が正確であった。この実施例では、シャフトマーキングＳｍとグリップマーキングＧｍとの相対位置を確認しながらグリップが装着されたため、マーキングＳｍとマーキングＧｍとの位置関係が正確であった。
【産業上の利用可能性】
【０１２６】
以上説明された発明は、あらゆるゴルフクラブに適用されうる。
【符号の説明】
【０１２７】
２、５２・・・ゴルフクラブ
４、５４・・・ヘッド
６、５６・・・シャフト
８、５８・・・スリーブ
１０・・・ネジ
１２・・・フェラル
１４・・・ヘッド本体
１６・・・係合部材
１８・・・ホーゼル孔
１９・・・通孔
２０・・・ソール孔
３０・・・シャフト孔
３２・・・ネジ孔
３６・・・スリーブの露出面
６０・・・グリップ
Ｅｘ・・・シャフトの露出部
Ｈｍ・・・ヘッドマーキング
Ｓｍ・・・シャフトマーキング
Ｇｍ・・・グリップマーキング
【図１】
2015023985.tif 000003
【図２】
2015023985.tif 000004
【図３】
2015023985.tif 000005
【図４】
2015023985.tif 000006
【図５】
2015023985.tif 000007
【図６】
2015023985.tif 000008
【図７】
2015023985.tif 000009
【図８】
2015023985.tif 000010
【図９】
2015023985.tif 000011
【図１０】
2015023985.tif 000012
【図１１】
2015023985.tif 000013
【図１２】
2015023985.tif 000014